(57)【要約】【課題】より低コストかつ小型であるとともに光アダプタを容易に光アダプタホルダに固定可能な光アダプタの固定構造を提供する。【解決手段】光アダプタの固定構造１０は、光ファイバケーブル２１の端末に取り付けられた光コネクタ２２を固定する光アダプタ１１を光アダプタホルダ１に固定する。光アダプタホルダ１は、開口部３が設けられたホルダ本体２と、弾性片４ａと、を備えている。光アダプタ１１は、アダプタ本体１２と、係止アーム１４と、を備えている。光アダプタ１１は、開口部３内に収容されて、係止アーム１４によってホルダ本体２から脱落することなくかつアダプタ本体１２が弾性片４ａによって開口部３内への光アダプタ１１の侵入方向に交差する方向に沿って押圧されて開口部３内に保持される。【選択図】図２
2008180819.tif 000002
【特許請求の範囲】
【請求項１】
光ファイバケーブルの端末に取り付けられた光コネクタを固定する光アダプタと、前記光アダプタを固定する光アダプタホルダと、を備えた光アダプタの固定構造において、
前記光アダプタホルダが、前記光アダプタを収容してこの光アダプタを保持する開口部が設けられたホルダ本体を備え、
前記光アダプタが、前記光コネクタを収容するアダプタ本体と、前記光アダプタ本体に設けられかつ前記開口部内に前記光アダプタが侵入することを許容するとともに前記開口部内に通された前記光アダプタが前記ホルダ本体から脱落することを規制する係合部と、を備えるとともに、
前記ホルダ本体と前記アダプタ本体とのうち一方に設けられ、前記開口部内への前記光アダプタの侵入方向に交差する方向に沿って前記開口部内の前記アダプタ本体を押圧する押圧手段を備えたことを特徴とする光アダプタの固定構造。
【請求項２】
前記押圧手段が前記ホルダ本体と一体に形成されたことを特徴とする請求項１記載の光アダプタの固定構造。
【請求項３】
一つの前記開口部内に前記光アダプタが重ねられて複数収容されるとともに、前記押圧手段が前記開口部内の前記光アダプタ同士が重なる方向に沿ってこれらの光アダプタのアダプタ本体を押圧することを特徴とする請求項１または請求項２記載の光アダプタの固定構造。
【請求項４】
前記開口部が、前記光アダプタ同士が重なる方向に交差する方向に沿って並んで複数設けられたことを特徴とする請求項３記載の光アダプタの固定構造。
【請求項５】
前記開口部が、互いに間隔をあけて相対する一対の第一の壁と、前記第一の壁に連なり互いに間隔をあけて相対する一対の第二の壁と、に囲まれて構成されているとともに、前記第一の壁と前記第二の壁とが互いに交差しかつ前記第一の壁が前記開口部内への前記光アダプタの侵入方向に沿って設けられたことを特徴とする請求項１ないし請求項４記載のうちいずれか一項に記載の光アダプタの固定構造。
【発明の詳細な説明】
【技術分野】
【０００１】
本発明は、光ファイバケーブルの端末に取り付けられた光コネクタを収容する光アダプタと、該光アダプタを固定する光アダプタホルダと、を備えた光アダプタの固定構造に関する。
【背景技術】
【０００２】
光ファイバケーブル同士は、例えば、それぞれの光ファイバケーブルの端末に取り付けられたフェルールが光コネクタに収容され、該光コネクタ同士が筒状の光アダプタの両端から挿入されて光アダプタ内で嵌合することによって光学的に接続する。そして、光アダプタは光アダプタホルダを介して光接続箱等に搭載され、光ファイバケーブル同士は互いに光学的に接続するとともに光接続箱等に固定される。
【０００３】
光アダプタホルダは、光アダプタを収容して該光アダプタを保持する複数の開口部が設けられ、基片と該基片の一端から垂設された垂片とからなる断面Ｌ字状のホルダ本体を備えている。一つの開口部には一つの光アダプタが挿入され、それぞれの開口部近傍にはねじ孔が設けられている。光アダプタの長手方向の中央にはねじ孔を有したフランジ部が設けられている。光アダプタを開口部に挿入すると、フランジ部と開口部近傍とが当接しフランジ部のねじ孔と開口部近傍のねじ孔とが連通して、光アダプタは光アダプタホルダにねじ留めされて固定される。
【０００４】
しかし、前述のような光アダプタホルダは、各開口部の間等のスペースによって大型化してしまうとともに該スペースによって光アダプタの高密度実装が困難になっていた。
【０００５】
この種の問題を解決するために、次のような光アダプタホルダが考案されている。本従来例の開口部は、垂片の上端から下端に向かって切り欠き状に形成されている。開口部は複数の光アダプタを挿入可能なように縦長溝状に形成され、開口部近傍にはねじ孔が形成されている。光アダプタは、開口部に挿入されて光アダプタホルダにねじ留めされて固定される。また開口部の長手方向の上端は、必要に応じて蓋状のカバーが取り付けられて挿入された光アダプタを保護する。
【０００６】
さらに、次のような光アダプタホルダも知られている（例えば、特許文献１参照）。本従来例の開口部は、複数の光アダプタを挿入可能なように横長の長方形状に形成され、開口部の幅方向の両端近傍には開口部に沿って開口部と略同じ長さに形成された直線孔状のボルト通し孔が設けられている。光アダプタは、開口部に挿入されて光アダプタホルダにボルトとナットによって固定される。
【特許文献１】特開２００１−１３３６９号公報
【発明の開示】
【発明が解決しようとする課題】
【０００７】
前述した特許文献１等に記載された光アダプタホルダ等には、光アダプタがねじ留めやボルトとナットによって固定されていた。このため、光アダプタホルダにねじ孔もしくはボルト通し孔を設ける必要があり、光アダプタホルダの構造が複雑になり製造コストが高騰する傾向にあった。また、固定用のねじ、ボルトやナットが別部品として必要になり部品数が増加してさらに製造コストが高騰する傾向にあった。また、光アダプタのねじ留め等による固定作業に時間がかかるとともに、光アダプタを高密度実装した場合はねじ留めやボルト締めの箇所も密集してしまい作業性が悪化するといった問題があった。
【０００８】
また、開口部に複数の光アダプタを収容した場合、ねじ孔を有した光アダプタホルダにおいて単心や二連等の形状の異なる光アダプタを混在させると、光アダプタ側のねじ孔のピッチがそれぞれ異なるので対応しづらいといった問題があった。ボルト通し孔を有した光アダプタホルダでは対応可能だが、ボルトとナットでの固定であり部品数が増加してしまう。
【０００９】
したがって、本発明の目的は、より低コストかつ小型であるとともに光アダプタを容易に光アダプタホルダに固定可能な光アダプタの固定構造を提供することにある。
【課題を解決するための手段】
【００１０】
前記課題を解決し目的を達成するために、請求項１に記載の本発明の光アダプタの固定構造は、光ファイバケーブルの端末に取り付けられた光コネクタを固定する光アダプタと、前記光アダプタを固定する光アダプタホルダと、を備えた光アダプタの固定構造において、前記光アダプタホルダが、前記光アダプタを収容してこの光アダプタを保持する開口部が設けられたホルダ本体を備え、前記光アダプタが、前記光コネクタを収容するアダプタ本体と、前記光アダプタ本体に設けられかつ前記開口部内に前記光アダプタが侵入することを許容するとともに前記開口部内に通された前記光アダプタが前記ホルダ本体から脱落することを規制する係合部と、を備えるとともに、前記ホルダ本体と前記アダプタ本体とのうち一方に設けられ、前記開口部内への前記光アダプタの侵入方向に交差する方向に沿って前記開口部内の前記アダプタ本体を押圧する押圧手段を備えたことを特徴としている。
【００１１】
請求項２に記載の本発明の光アダプタの固定構造は、請求項１に記載の光アダプタの固定構造において、前記押圧手段が前記ホルダ本体と一体に形成されたことを特徴としている。
【００１２】
請求項３に記載の本発明の光アダプタの固定構造は、請求項１または請求項２に記載の光アダプタの固定構造において、一つの前記開口部内に前記光アダプタが重ねられて複数収容されるとともに、前記押圧手段が前記開口部内の前記光アダプタ同士が重なる方向に沿ってこれらの光アダプタのアダプタ本体を押圧することを特徴としている。
【００１３】
請求項４に記載の本発明の光アダプタの固定構造は、請求項３に記載の光アダプタの固定構造において、前記開口部が、前記光アダプタ同士が重なる方向に交差する方向に沿って並んで複数設けられたことを特徴としている。
【００１４】
請求項５に記載の本発明の光アダプタの固定構造は、請求項１ないし請求項４記載のうちいずれか一項に記載の光アダプタの固定構造において、前記開口部が、互いに間隔をあけて相対する一対の第一の壁と、前記第一の壁に連なり互いに間隔をあけて相対する一対の第二の壁と、に囲まれて構成されているとともに、前記第一の壁と前記第二の壁とが互いに交差しかつ前記第一の壁が前記開口部内への前記光アダプタの侵入方向に沿って設けられたことを特徴としている。
【発明の効果】
【００１５】
以上説明したように、請求項１に記載の本発明は、アダプタホルダが、光アダプタを収容してこの光アダプタを保持する開口部が設けられたホルダ本体を備え、光アダプタが、光コネクタを収容するアダプタ本体と、光アダプタ本体に設けられかつ開口部内に光アダプタが侵入することを許容するとともに開口部内に通された光アダプタがホルダ本体から脱落することを規制する係合部と、を備えるとともに、ホルダ本体とアダプタ本体とのうち一方に設けられ、開口部内への光アダプタの侵入方向に交差する方向に沿って開口部内のアダプタ本体を押圧する押圧手段を備えている。このため、光アダプタは、光アダプタ本体の係合部がホルダ本体と係合するとともに押圧手段が光アダプタの侵入方向に交差する方向に沿ってアダプタ本体を押圧することによって、開口部内に挿入するだけで光アダプタホルダに安定して保持されて固定される。したがって、光アダプタホルダにねじ孔等を設ける必要がなく簡単な構造にして大量生産ができるとともに製造コストを抑えることができ、さらに、ねじ等の別部品が必要なくなり製造コストを抑えることができる。また、ねじ留め等の固定作業がなくなり、開口部内に光アダプタを押し込む簡単な固定作業で光アダプタを固定することができる。さらに、押圧手段がアダプタ本体を押圧するので押圧手段が押圧する面積が広く、光アダプタはがたついたりずれたりすることなく安定して開口部内に保持される。
【００１６】
請求項２に記載の本発明は、押圧手段がホルダ本体と一体に形成されている。このため、光アダプタホルダをより簡単に製造することができるので、大量生産ができるとともに製造コストを抑えることができる。
【００１７】
請求項３に記載の本発明は、一つの開口部内に光アダプタが重ねられて複数収容されるとともに、押圧手段が開口部内の光アダプタ同士が重なる方向に沿ってこれらの光アダプタのアダプタ本体を押圧する。このため、複数の開口部内に一つの光アダプタを固定する場合に存在した開口部間の余分なスペースがなくなるので、光アダプタホルダをより小型化することができ、光アダプタを高密度実装することができる。また、押圧手段が開口部内にアダプタ本体を押圧して保持するので、形状が異なる複数の光アダプタを収容する際にも柔軟に対応することができる。さらに、押圧手段がアダプタ本体を押圧するので押圧手段が押圧する面積が広く、複数の光アダプタであってもがたついたりずれたりすることなく安定して開口部内に保持される。
【００１８】
請求項４に記載の本発明は、開口部が、光アダプタ同士が重なる方向に交差する方向に沿って並んで複数設けられている。このため、複数の開口部同士を互いに密接して設けることができるので、光アダプタホルダをより小型化することができ、光アダプタをより高密度実装することができる。
【００１９】
請求項５に記載の本発明は、開口部が、互いに間隔をあけて相対する一対の第一の壁と、第一の壁に連なり互いに間隔をあけて相対する一対の第二の壁と、に囲まれて構成されているとともに、第一の壁と第二の壁とが互いに交差しかつ第一の壁が開口部内への光アダプタの侵入方向に沿って設けられている。このため、開口部を構成する第一の壁が折り曲げられて開口部周辺の余分なスペースがなくなるので、光アダプタホルダをより小型化することができる。さらに、第一の壁がホルダ本体を覆うので、光アダプタが固定された光アダプタホルダ同士が積み重ねられても光アダプタの破損を防止することができる。
【発明を実施するための最良の形態】
【００２０】
以下、本発明の第一の実施形態にかかる光アダプタの固定構造１０を図１ないし図４を参照して説明する。本発明の第一の実施形態にかかる光アダプタの固定構造１０は、図１等に示すように、光ファイバケーブル２１（図４）の端末に取り付けられた光コネクタ２２（図４）を固定する光アダプタ１１と、光アダプタ１１を固定する光アダプタホルダ１と、を備えている。
【００２１】
光コネクタ２２は、図４に示すように、円管状に形成されたフェルール（図示せず）と、箱状に形成され内側にフェルールを収容するコネクタハウジング２３と、を備えている。フェルールは、光ファイバケーブル２１の端末に取り付けられて、コネクタハウジング２３に収容される。
【００２２】
光アダプタ１１は、周知のＳＣ（Single fiber Coupling optical fiber connector）型の光アダプタ１１である。まず、単心（一対の光コネクタ２２を収容する）の光アダプタ１１ａについて説明する。光アダプタ１１ａは、図４に示すように、光コネクタを収容するアダプタ本体１２と、アダプタ本体１２を光アダプタホルダ１に固定するフランジ部１３及び係合部としての係止アーム１４と、を一体に備えている。
【００２３】
アダプタ本体１２は、角筒状に形成されている。アダプタ本体１２内には、円筒状のスリーブ（図示せず）が収容されている。スリーブは、アダプタ本体１２の長手方向と平行になるように収容されている。アダプタ本体１２の両側の開口からそれぞれ光コネクタ２２が挿入されると、アダプタ本体１２の内側で光コネクタ２２のフェルールがスリーブ内に侵入し、光ファイバケーブル２１の端面同士が正確に位置決めされて光ファイバケーブル２１同士が確実に光学的に接続する。
【００２４】
フランジ部１３は、アダプタ本体１２の一対の側面１５（光アダプタホルダ１に収容されたアダプタ本体１２が後述する立壁７と相対する面）から凸に設けられている。フランジ部１３は、側面１５の長手方向の中央に、側面１５の幅方向全体に亘って設けられている。
【００２５】
係止アーム１４は、アダプタ本体１２の側面１５に設けられ、アダプタ本体１２の中心軸を挟んで互いに相対するように一対設けられている。係止アーム１４は、フランジ部１３とアダプタ本体１２の一端部１２ａとの間に設けられている。係止アーム１４は、アーム本体１６と、係止爪１７と、を備えている。
【００２６】
アーム本体１６は、アダプタ本体１２の長手方向に沿って設けられ、フランジ部１３から離れた一端がアダプタ本体１２に連なり、フランジ部１３寄りの他端（即ち、先端）が自由端を形成している。アーム本体１６の外面は、アダプタ本体１２の側面１５と面一になるように設けられている。アーム本体１６は、先端がアダプタ本体１２の内側に近づく方向に弾性変形自在である。
【００２７】
係止爪１７は、アーム本体１６の先端に設けられている。係止爪１７は、アーム本体１６の外面から凸に設けられ、アーム本体１６が弾性変形しない状態で側面１５から突出するように設けられている。係止爪１７のフランジ部１３寄りの端部とフランジ部１３との間の間隔は光アダプタホルダ１の後述する立壁７の厚さと略等しくなるように設けられ、光アダプタ１１が光アダプタホルダ１に取り付けられると、係止爪１７の該端部とフランジ部１３との間に立壁７が位置付けられる。
【００２８】
前述した構成の光アダプタ１１ａが、上下方向（図４中、上下方向）に二つ重なって一体成形されたものが図３に示す縦二連（二組の光コネクタ２２を収容する）の光アダプタ１１ｂである。また、光アダプタ１１ａが上下方向に四つ重なって一体形成されたものが縦四連（四組の光コネクタ２２を収容する）の光アダプタ（図示せず）である。縦二連の光アダプタ１１ｂと縦四連の光アダプタとは、単心の光アダプタ１１ａとアダプタ本体１２の形状が異なるのみで他は略同構成であるので詳細な説明は省略する。
【００２９】
光アダプタホルダ１は、ＡＢＳ樹脂（アクリロニトリル（Acrylonitrile）、ブタジエン（Butadiene）、スチレン（Styrene）共重合合成樹脂）、ＰＰ樹脂（PolyPropylene樹脂）、アクリル樹脂等の合成樹脂の射出成形によって形成されている。なお、光アダプタホルダ１は、ＳＰＣ（Steel Plate Cold、冷間圧延鋼板）のプレス加工または打ち抜き加工から形成されてもよい。
【００３０】
光アダプタホルダ１は、図１に示すように、光アダプタ１１を収容して光アダプタ１１を保持する開口部３が設けられたホルダ本体２を備え、全体形状が梯子状に形成されている。ホルダ本体２は、底壁５と、上壁６と、底壁５と上壁６の幅方向の一端同士を連結する立壁７と、開口部３内への光アダプタ１１の侵入方向（開口部３の開口面に直交する方向）に交差する方向に沿って開口部３内のアダプタ本体１２を押圧する押圧手段としての弾性片４ａと、を一体に備え、断面形状がコ字状に形成されている。
【００３１】
底壁５は、帯板状に形成され、開口部３内への光アダプタ１１の侵入方向に平行に設けられている。底壁５には、ねじ孔５ａが設けられている。ねじ孔５ａは、底壁５を貫通して設けられ、底壁５の長手方向に沿って複数設けられている。ねじ孔５ａにはそれぞれねじが螺合されて、光アダプタホルダ１は光接続箱等にねじ留めされる。
【００３２】
上壁６は、帯板状に形成され、開口部３内への光アダプタ１１の侵入方向に平行に設けられている。上壁６の長さは底壁５と略等しく形成され、上壁６の幅は底壁５より短く形成されている。上壁６と底壁５とは、互いに間隔をあけて相対し互いに平行に設けられている。
【００３３】
立壁７は、帯板状に形成されている。立壁７は、複数設けられ、底壁５及び上壁６と略直交するように設けられている。立壁７は、それぞれ、互いに等しい間隔をあけて相対し互いに平行に設けられている。
【００３４】
開口部３は、底壁５と、上壁６と、複数の立壁７のうち互いに隣り合う一対の立壁７と、に囲まれて構成され、平面形状が長方形状に形成されている。開口部３の高さは立壁７の高さと略等しく、また開口部３の幅は光アダプタ１１ｂのアダプタ本体１２の幅（一対の側面１５の間隔）と略等しくなるように形成されている。開口部３内には、光アダプタ１１ｂが縦方向に重ねられて複数収容される。開口部３は、複数の光アダプタ１１ｂ同士が重なる方向（開口部３の開口面に平行な方向）に交差する方向に沿って並んで複数設けられている。開口部３は、それぞれ、互いに等しい間隔をあけて互いに平行に設けられている。
【００３５】
前述した構成の開口部３の高さは、固定する光アダプタ１１の数に合わせて予め設計されている。本実施形態においては、光アダプタ１１ｂを四つ重ねて収容可能に設けられている。開口部３は、四つの光アダプタ１１ｂのアダプタ本体１２の高さより若干大きく形成されており、アダプタ本体１２は弾性片４ａに押圧されて開口部３内に保持される。
【００３６】
前述した構成のホルダ本体２の底壁５及び上壁６は、特許請求の範囲に記載の「第一の壁」に相当する。複数の立壁７のうち隣り合う一対の立壁７は、特許請求の範囲に記載の「第二の壁」に相当する。底壁５と上壁６とは前述のように互いに間隔をあけて相対し、隣り合う一対の立壁７は前述のように互いに間隔をあけて相対する。また、底壁５及び上壁６と立壁７とは前述のように互いに直交しかつ底壁５及び上壁６は開口部３内への光アダプタ１１ｂの侵入方向に沿って設けられている。
【００３７】
弾性片４ａは、前述した合成樹脂から板ばね状に成形され、底壁５と一体に形成されている。弾性片４ａは、底壁５の上壁６と相対する外面から突出して複数設けられている。弾性片４ａは、それぞれ、開口部３と相対するように配置され、それぞれの開口部３に対応して設けられている。弾性片４ａは長方形板状に設けられ、弾性片４ａの長手方向は底壁５の長手方向と平行に設けられている。弾性片４ａの立壁７から離れた一端は底壁５に連なり、立壁７寄りの他端（即ち、先端）は上壁６に近づく方向に底壁５から離れた自由端を形成している。
【００３８】
前述した構成の弾性片４ａは、開口部３に光アダプタ１１ｂが挿入されると、開口部３内の光アダプタ１１ｂ同士が重なる方向に沿って光アダプタ１１ｂのアダプタ本体１２を押圧する。即ち、弾性片４ａは、光アダプタ１１ｂのアダプタ本体１２の下面１２ｂと接触して下面１２ｂによって押し下げられて前述した先端が底壁５に近づく方向に弾性変形するとともに、弾性復元してアダプタ本体１２の下面１２ｂを押圧して開口部３内に保持する。
【００３９】
なお、弾性片４ａは、金属材料によって板ばね状に形成されてもよく、この場合はホルダ本体２を金属材料から形成して底壁５を一部折り曲げる等によって、ホルダ本体２と一体に設けることが可能である。勿論、弾性片４ａとホルダ本体２とを異なる材料から形成して、これらを別体で形成した後に接着等によって固定してもよい。
【００４０】
前述した構成の光アダプタホルダ１に光アダプタ１１ｂを固定する際には、まず、一つめの光アダプタ１１ｂのアダプタ本体１２を前述した一端部１２ａから開口部３に挿入する。
【００４１】
すると、アダプタ本体１２の係止アーム１４に設けられた係止爪１７と開口部３の外縁（即ち、立壁７）とが接触し、係止アーム１４はアダプタ本体１２の内側に向かって弾性変形する。さらに光アダプタ１１ｂを挿入していくと立壁７は係止爪１７を乗り越え、フランジ部１３と当接するとともに係止アーム１４が初期位置に弾性復元する。立壁７は、フランジ部１３と係止爪１７との間に位置付けられる。以上のように、係止アーム１４は、開口部３内に光アダプタ１１ｂが侵入することを許容するとともに開口部３内に通された光アダプタ１１ｂがホルダ本体２から脱落することを規制する。
【００４２】
続いて、二つめの光アダプタ１１ｂを一つめの光アダプタ１１ｂに重ねて積み上げるように同様に取り付け、三つめの光アダプタ１１ｂを二つめの光アダプタ１１ｂに重ねて積み上げるように同様に取り付ける。
【００４３】
四つめの光アダプタ１１ｂを取り付ける際には、すでに取り付けられている三つの光アダプタ１１ｂのアダプタ本体１２を底壁５側に押し下げて一つめの光アダプタ１１ｂのアダプタ本体１２の下面１２ｂを弾性片４ａと接触させて弾性片４ａを前述のように弾性変形させることによって開口部３の開口を広げ、前述のように光アダプタ１１ｂを開口部３に挿入する。四つめの光アダプタ１１ｂが所定の位置に取り付けられると、弾性片４ａは弾性復元して一つめの光アダプタ１１ｂのアダプタ本体１２の下面１２ｂを上壁６側に押し上げる方向に押圧して四つめの光アダプタ１１ｂの上面１２ｃを上壁６の底壁５と相対する外面と当接させて、四つの光アダプタ１１ｂを開口部３内に保持する。同様にして、他の開口部３に光アダプタ１１ｂを固定する。
【００４４】
その後、光アダプタ１１ｂが取り付けられた光アダプタホルダ１を前述のように光接続箱等にねじ留めし、光ファイバケーブル２１の端末に取り付けられた光コネクタ２２を前述のように光アダプタ１１ｂに挿入する。なお、このような光接続箱等を重ね合わせて積み上げても、光アダプタホルダ１の上壁６が光アダプタ１１のアダプタ本体１２を覆うように配置されているので、アダプタ本体１２の破損を防ぐことができる。
【００４５】
なお、本実施形態の開口部３は四つの光アダプタ１１ｂを取り付ける高さに形成されていたが、四つの光アダプタ１１ｂすべてを取り付けなくても、取り付けた光アダプタ１１ｂを固定することが可能である。その場合、調節板を用いて開口部３の高さを調節する。調節板は、プラスチック板等から長方形状に形成されている。調節板の幅は開口部３より大きく形成され、調節板の長さは取り付けない光アダプタ１１ｂの個数分のアダプタ本体１２の高さに合わせて形成される。
【００４６】
一例として、三つの光アダプタ１１ｂを取り付ける場合について説明する。開口部３に三つの光アダプタ１１ｂを取り付けた後、前述のように光アダプタ１１ｂのアダプタ本体１２を底壁５側に押し下げて弾性片４ａを弾性変形させる。この状態で、余った開口部３の開口を塞ぐように調節板を立壁７に対して平行に配置し、立壁７に両面テープ等で接着固定することによって、三つの光アダプタ１１ｂを開口部３に固定することができる。
【００４７】
また、光アダプタ１１ｂのアダプタ本体１２は弾性片４ａによって押圧されて保持されるので、異なる形状の光アダプタ１１を混在させて取り付けることも可能である。例えば、本実施形態の開口部３に、三つの縦二連の光アダプタ１１ｂと一つの単心の光アダプタ１１ａとを取り付け、余った開口部３の開口は調節板で塞ぐようにする。さらに、光アダプタ１１を積み上げる順番も限定されることはない。
【００４８】
本実施形態によれば、光アダプタホルダ１が、光アダプタ１１を収容してこの光アダプタ１１を保持する開口部３が設けられたホルダ本体２を備え、光アダプタ１１が、光コネクタ２２を収容するアダプタ本体１２と、光アダプタ本体１２に設けられかつ開口部３内に光アダプタ１１が侵入することを許容するとともに開口部３内に通された光アダプタ１１がホルダ本体２から脱落することを規制する係止アーム１４と、を備えるとともに、ホルダ本体２に設けられ、開口部３内への光アダプタ１１の侵入方向に交差する方向に沿って開口部３内のアダプタ本体１２を押圧する弾性片４ａを備えている。このため、光アダプタ１１は、係止アーム１４がホルダ本体２と係合するとともに弾性片４ａが光アダプタ１１の侵入方向に交差する方向に沿ってアダプタ本体１２を押圧することによって、開口部３内に挿入するだけで光アダプタホルダ１に安定して保持されて固定される。したがって、光アダプタホルダ１にねじ孔等を設ける必要がなく簡単な構造にして大量生産ができるとともに製造コストを抑えることができ、さらに、ねじ等の別部品が必要なくなり製造コストを抑えることができる。また、ねじ留め等の固定作業がなくなり、開口部３内に光アダプタ１１を押し込む簡単な固定作業で光アダプタ１１を固定することができる。さらに、弾性片４ａがアダプタ本体１２を押圧するので弾性片４ａが押圧する面積が広く、光アダプタ１１はがたついたりずれたりすることなく安定して開口部３内に保持される。
【００４９】
弾性片４ａがホルダ本体２と一体に形成されている。このため、光アダプタホルダ１をより簡単に製造することができるので、大量生産ができるとともに製造コストを抑えることができる。
【００５０】
一つの開口部３内に光アダプタ１１が重ねられて複数収容されるとともに、弾性片４ａが開口部３内の光アダプタ１１同士が重なる方向に沿ってこれらの光アダプタ１１のアダプタ本体１２を押圧する。このため、複数の開口部３内に一つの光アダプタ１１を固定する場合に存在した開口部３間の余分なスペースがなくなるので、光アダプタホルダ１をより小型化することができ、光アダプタ１１を高密度実装することができる。また、弾性片４ａが開口部３内にアダプタ本体１２を押圧して保持するので、形状が異なる複数の光アダプタ１１を収容する際にも柔軟に対応することができる。さらに、弾性片４ａがアダプタ本体１２を押圧するので弾性片４ａが押圧する面積が広く、複数の光アダプタ１１であってもがたついたりずれたりすることなく安定して開口部３内に保持される。
【００５１】
開口部３が、光アダプタ１１同士が重なる方向に交差する方向に沿って並んで複数設けられている。このため、複数の開口部３同士を互いに密接して設けることができるので、光アダプタホルダ１をより小型化することができ、光アダプタ１１をより高密度実装することができる。
【００５２】
開口部３が、互いに間隔をあけて相対する底壁５及び上壁６と、底壁５及び上壁６に連なり互いに間隔をあけて相対する隣り合う一対の立壁７と、に囲まれて構成されているとともに、底壁５及び上壁６と立壁７とが互いに交差しかつ底壁５及び上壁６が開口部３内への光アダプタ１１の侵入方向に沿って設けられている。このため、開口部３を構成する底壁５及び上壁６が折り曲げられて開口部３周辺の余分なスペースがなくなるので、光アダプタホルダ１をより小型化することができる。さらに、底壁５及び上壁６がホルダ本体２を覆うので、光アダプタ１１が固定された光アダプタホルダ１同士が積み重ねられても光アダプタ１１の破損を防止することができる。
【００５３】
本実施形態においては、弾性片４ａはホルダ本体２に設けられていた。しかしながら本発明では、弾性片４ａは、アダプタ本体１２に設けられていてもよい。
【００５４】
本実施形態においては、係止アーム１４はアダプタ本体１２に設けられていた。しかしながら本発明では、係止アーム１４はホルダ本体２に設けられていてもよく、その場合はアダプタ本体１２の係止アーム１４と係合する部分を係合部とする。
【００５５】
本実施形態においては、弾性片４ａは、底壁５に設けられていた。しかしながら本発明では、上壁６に設けられていてもよく、さらに底壁５と上壁６との両方に設けられていてもよい。上壁６に設けられた弾性片４ａは、先端が上壁６に近づく方向に弾性変形するとともに、弾性復元してアダプタ本体１２の上面１２ｃを押圧して開口部３内に保持する。
【００５６】
次に、本発明の第二の実施形態にかかる光アダプタの固定構造１０を、図５を参照して説明する。なお、前述した第一の実施形態と同一構成分には、同一符号を付して説明を省略する。
【００５７】
本実施形態の光アダプタの固定構造１０は、押圧手段としての弾性体４ｂを備えている。弾性体４ｂは、角柱状に形成され、スポンジ状のゴムやウレタン等から形成されている。弾性体４ｂは、底壁５の立壁７寄りの端部に設けられ、底壁５の長手方向全体に亘って設けられている。弾性体４ｂは、底壁５の上壁６と相対する外面に接着固定されている。
【００５８】
前述した構成の弾性体４ｂは、開口部３に光アダプタ１１ｂが挿入されると、光アダプタ１１ｂのアダプタ本体１２の下面１２ｂと接触して下面１２ｂによって押し下げられて底壁５に近づく方向に弾性変形するとともに、弾性復元して開口部３内のアダプタ本体１２の下面１２ｂを押圧して開口部３内に保持する。
【００５９】
本実施形態によっても、光アダプタホルダ１が、光アダプタ１１を収容してこの光アダプタ１１を保持する開口部３が設けられたホルダ本体２を備え、光アダプタ１１が、光コネクタ２２を収容するアダプタ本体１２と、光アダプタ本体１２に設けられかつ開口部３内に光アダプタ１１が侵入することを許容するとともに開口部３内に通された光アダプタ１１がホルダ本体２から脱落することを規制する係止アーム１４と、を備えるとともに、ホルダ本体２に設けられ、開口部３内への光アダプタ１１の侵入方向に交差する方向に沿って開口部３内のアダプタ本体１２を押圧する弾性片４ｂを備えている。このため、光アダプタ１１は、係止アーム１４がホルダ本体２と係合するとともに弾性片４ｂが光アダプタ１１の侵入方向に交差する方向に沿ってアダプタ本体１２を押圧することによって、開口部３内に挿入するだけで光アダプタホルダ１に安定して保持されて固定される。したがって、光アダプタホルダ１にねじ孔等を設ける必要がなく簡単な構造にして大量生産ができるとともに製造コストを抑えることができ、さらに、ねじ等の別部品が必要なくなり製造コストを抑えることができる。また、ねじ留め等の固定作業がなくなり、開口部３内に光アダプタ１１を押し込む簡単な固定作業で光アダプタ１１を固定することができる。さらに、弾性片４ｂがアダプタ本体１２を押圧するので弾性片４ｂが押圧する面積が広く、光アダプタ１１はがたついたりずれたりすることなく安定して開口部３内に保持される。
【００６０】
一つの開口部３内に光アダプタ１１が重ねられて複数収容されるとともに、弾性体４ｂが開口部３内の光アダプタ１１同士が重なる方向に沿ってこれらの光アダプタ１１のアダプタ本体１２を押圧する。このため、複数の開口部３内に一つの光アダプタ１１を固定する場合に存在した開口部３間の余分なスペースがなくなるので、光アダプタホルダ１をより小型化することができ、光アダプタ１１を高密度実装することができる。また、弾性体４ｂが開口部３内にアダプタ本体１２を押圧して保持するので、形状が異なる複数の光アダプタ１１を収容する際にも柔軟に対応することができる。さらに、弾性片４ｂがアダプタ本体１２を押圧するので弾性片４ｂが押圧する面積が広く、複数の光アダプタ１１であってもがたついたりずれたりすることなく安定して開口部３内に保持される。
【００６１】
本実施形態においては、弾性体４ｂは、底壁５に設けられていた。しかしながら本発明では、上壁６に設けられていてもよく、さらに底壁５と上壁６との両方に設けられていてもよい。
【００６２】
前述した第一の実施形態においては、押圧手段としての弾性片４ａは合成樹脂あるいは金属材料から板ばね状に形成されていた。また第二の実施形態においては、押圧手段としての弾性体４ｂはスポンジ状のゴムやウレタン等から形成されていた。しかしながら本発明では、押圧手段は、金属材料によってコイルばね状に形成されていてもよい。
【００６３】
なお、前述した第一及び第二の実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６４】
【図１】本発明の第一の実施形態にかかる光アダプタの固定構造によって固定された光アダプタと光アダプタホルダとを示す斜視図である。
【図２】図１に示された光アダプタと光アダプタホルダとを別方向から見た斜視図である。
【図３】図１に示された光アダプタを拡大して示す斜視図である。
【図４】図３に示された光アダプタと異なる形状の光アダプタに光コネクタが収容された状態を示す斜視図である。
【図５】本発明の第二の実施形態にかかる光アダプタの固定構造によって固定された光アダプタと光アダプタホルダとを示す斜視図である。
【符号の説明】
【００６５】
１    光アダプタホルダ
２    ホルダ本体
３    開口部
４ａ    弾性片（押圧手段）
４ｂ    弾性体（押圧手段）
５    底壁（第一の壁）
６    上壁（第一の壁）
７    立壁（第二の壁）
１０    光アダプタの固定構造
１１（１１ａ、１１ｂ）    光アダプタ
１４    係止アーム（係合部）
２１    光ファイバケーブル
２２    光コネクタ
【図１】
2008180819.tif 000003
【図２】
2008180819.tif 000004
【図３】
2008180819.tif 000005
【図４】
2008180819.tif 000006
【図５】
2008180819.tif 000007